(57)【要約】【課題】自動取引装置において、貨幣や帳票などの入出口への水分の浸入を抑制する。【解決手段】入出金口を備える自動取引装置に感雨センサを設ける。そして、感雨センサが雨水を検知したときには、入出金を伴う取引を禁止する。入出金口にシャッタを備える場合には、感雨センサが雨水を検知したときに、シャッタの開き具合を狭くしたり、シャッタが開いている時間を短くしたりする。【選択図】  図３
2004178455.tif 000002
【特許請求の範囲】
【請求項１】
所定の取引を行う自動取引装置であって、
利用者が所定の取引用媒体を出し入れするための開口部を有する入出口を備え、該媒体を利用して前記取引を行う取引部と、
前記開口部から前記入出口への水分の浸入のおそれを検出する水分検出部と、
前記水分検出部が前記おそれを検出したときに、少なくとも前記入出口への前記媒体の投入を伴う取引を禁止する制御部と、
を備える自動取引装置。
【請求項２】
請求項１記載の自動取引装置であって、
前記制御部は、前記水分検出部が前記おそれを検出したときに、更に、前記入出口からの前記媒体の取り出しを伴う取引を禁止する、
自動取引装置。
【請求項３】
所定の取引を行う自動取引装置であって、
利用者が所定の取引用媒体を出し入れするための開口部を有する入出口と、
前記開口部に設けられたシャッタと、
前記シャッタを開閉駆動する駆動部と、
前記駆動部の動作を制御する制御部と、
前記開口部から前記入出口への水分の浸入のおそれを検出する検出部と、
を備え、
前記制御部は、前記水分検出部の検出結果に基づいて、前記水分の浸入を抑制するように、前記駆動部の動作を制御する、
自動取引装置。
【請求項４】
請求項３記載の自動取引装置であって、更に、
前記抑制された状態で、前記利用者から前記シャッタを開けるための指示を入力するための指示入力部を備え、
前記制御部は、前記水分検出部が前記おそれを検出したときに、前記指示の入力に応じて前記シャッタを開けるように、前記駆動部の動作を制御する、
自動取引装置。
【請求項５】
請求項３記載の自動取引装置であって、
前記制御部は、前記水分検出部が前記おそれを検出したときに、前記シャッタの開閉による前記開口部の開口面積が、前記水分検出部が前記おそれを検出しないときよりも狭くなるように、前記駆動部の動作を制御する、
自動取引装置。
【請求項６】
請求項５記載の自動取引装置であって、
前記開口部は、前記入出口への前記利用者の手または前記媒体の挿入を検出するための挿入検出部を備え、
前記制御部は、前記開口面積が狭い状態で、前記挿入検出部が前記挿入を検出したときに、前記開口面積が広くなるように、前記駆動部の動作を制御する、
自動取引装置。
【請求項７】
請求項３記載の自動取引装置であって、更に、
前記制御部は、前記シャッタが開いてから閉じるまでのシャッタ開時間を複数設定可能な設定部を備え、
前記設定部は、前記水分検出部が前記おそれを検出したときの前記シャッタ開時間が、前記水分検出部が前記おそれを検出しないときの前記シャッタ開時間よりも短くなるように、前記シャッタ開時間を設定する、
自動取引装置。
【請求項８】
請求項７記載の自動取引装置であって、
前記設定部は、前記利用者が前記入出口から前記媒体を取り出すための動作時の前記シャッタ開時間が、前記入出口に前記媒体を投入するための動作時の前記シャッタ開時間よりも短くなるように、前記シャッタ開時間を設定する、
自動取引装置。
【請求項９】
請求項１または３記載の自動取引装置であって、
前記水分検出部は、水分の付着を検出するための水分センサを備える、
自動取引装置。
【請求項１０】
請求項９記載の自動取引装置であって、
前記水分センサは、少なくとも前記開口部周辺を含む複数箇所に設置されている、
自動取引装置。
【請求項１１】
請求項１または３記載の自動取引装置であって、
前記水分検出部は、前記おそれを定量的に検出可能であり、
前記制御部は、前記検出結果に基づいて、前記取引部の動作を制御し、または、前記駆動部の動作制御を切り換える、
自動取引装置。
【請求項１２】
請求項１または３記載の自動取引装置であって、
前記水分検出部は、気圧センサと湿度センサとのうちの少なくとも１つを備える、
自動取引装置。
【請求項１３】
請求項１または３記載の自動取引装置であって、
前記水分検出部は、複数種類のセンサを備えており、
前記制御部は、前記複数種類のセンサの検出結果に基づいて、前記取引部の動作を制御し、または、前記駆動部の動作制御を切り換える、
自動取引装置。
【発明の詳細な説明】
【０００１】
【発明の属する技術分野】
本発明は、所定の取引を行う自動取引装置に関する。
【０００２】
【従来の技術】
従来、金融機関等で利用者に対する入出金に現金自動取引装置（以下、ＡＴＭと呼ぶ。）が使用されている。ＡＴＭは、紙幣、硬貨、通帳、振込用紙等の帳票類、カードなどの取引用媒体を取り扱い、種々の取引を行う。
【０００３】
ＡＴＭには、屋外に設置して利用されるタイプのものもある。このタイプのＡＴＭでは、通常、雨や雪など水分の装置内への浸入による錆の発生や、電気系統の故障などを防止するために防水対策が施される。防水対策としては、例えば、装置の隙間に防水パッキンを設けたり、防水板を設けたりすることが挙げられる（例えば、特許文献３参照。）。
【０００４】
【特許文献１】
特開平６−１０８７３７号公報
【特許文献２】
特開平８−５５２６４号公報
【特許文献３】
特開２００１−１０９９２６号公報
【０００５】
【発明が解決しようとする課題】
しかし、ＡＴＭで各種取引を行う上で、貨幣や帳票を出し入れするための入出口を封鎖して防水することは困難である。利用者が飲み物をこぼす可能性などを考慮すると、防水対策は、上述した屋外に設置されるＡＴＭに限らず、各種自動取引装置に共通の課題だった。
【０００６】
本発明は、上述の課題を解決するためになされたものであり、自動取引装置において、貨幣や帳票などの入出口への水分の浸入を抑制することを目的とする。
【０００７】
【課題を解決するための手段】
上述の課題の少なくとも一部を解決するため、本発明では、所定の取引を行う自動取引装置に、以下の構成を採用した。即ち、本発明の第１の自動取引装置は、利用者が所定の取引用媒体を出し入れするための開口部を有する入出口を備え、該媒体を利用して前記取引を行う取引部と、前記開口部から前記入出口への水分の浸入のおそれを検出する水分検出部と、前記水分検出部が前記おそれを検出したときに、少なくとも前記入出口への前記媒体の投入を伴う取引を禁止する制御部と、を備える。
【０００８】
「取引用媒体」としては、例えば、紙幣、貨幣、通帳、帳票などが挙げられる。本発明によって、降水時などに、入出口から直接的に、または、水に濡れた媒体が投入されることにより、装置内へ水分が浸入することを抑制することができる。
【０００９】
上記自動取引装置において、例えば、出金処理など、装置内に保管されていた媒体を排出する処理を伴う取引については許可することもできる。ただし、前記制御部は、前記水分検出部が前記おそれを検出したときに、更に、前記入出口からの前記媒体の取り出しを伴う取引を禁止するようにすることが好ましい。
【００１０】
例えば、入出口が開口部にシャッタを備える場合、媒体の取り出し時に入出口に水分が浸入する場合がある。本発明では、入出口からの媒体の取り出しも禁止することができるので、更に、入出口への水分の浸入を抑制することができる。
【００１１】
本発明の第２の自動取引装置は、利用者が所定の取引用媒体を出し入れするための開口部を有する入出口と、前記開口部に設けられたシャッタと、前記シャッタを開閉駆動する駆動部と、前記駆動部の動作を制御する制御部と、前記開口部から前記入出口への水分の浸入のおそれを検出する検出部と、を備え、前記制御部は、前記水分検出部の検出結果に基づいて、前記水分の浸入を抑制するように、前記駆動部の動作を制御する。
【００１２】
本発明では、入出口の開口部に設けられたシャッタの開閉を制御することによって、入出口への水分の浸入を抑制することができる。なお、本発明において、必ずしも取引は禁止しなくてもよい。
【００１３】
本発明の第２の自動取引装置において、入出口への水分の浸入のおそれが検出されたときの駆動部の制御として、種々の態様を採ることができるが、例えば、更に、前記抑制された状態で、前記利用者から前記シャッタを開けるための指示を入力するための指示入力部を備え、前記制御部は、前記水分検出部が前記おそれを検出したときに、前記指示の入力に応じて前記シャッタを開けるように、前記駆動部の動作を制御することができる。
【００１４】
通常、入出口の開口部にシャッタを備える自動取引装置は、利用者の指示によらずに所定のタイミングで自動的にシャッタの開閉を行う場合が多い。本発明では、利用者からシャッタを開けるための指示が入力されるまでシャッタを開けないので、シャッタが開いている時間を短くすることができ、入出口への水分の浸入を抑制することができる。
【００１５】
また、本発明の第２の自動取引装置において、前記制御部は、前記水分検出部が前記おそれを検出したときに、前記シャッタの開閉による前記開口部の開口面積が、前記水分検出部が前記おそれを検出しないときよりも狭くなるように、前記駆動部の動作を制御することができる。
【００１６】
こうすることによって、開口部の面積を通常よりも狭くすることができるので、入出口への水分の浸入を抑制することができる。
【００１７】
上記自動取引装置において、前記開口部は、前記入出口への前記利用者の手または前記媒体の挿入を検出するための挿入検出部を備え、前記制御部は、前記開口面積が狭い状態で、前記挿入検出部が前記挿入を検出したときに、前記開口面積が広くなるように、前記駆動部の動作を制御することとしてもよい。
【００１８】
こうすることによって、媒体の出し入れを行うときには、開口部の面積を広くすることができるので、利用者の操作性を確保することができる。
【００１９】
また、本発明の第２の自動取引装置において、更に、前記制御部は、前記シャッタが開いてから閉じるまでのシャッタ開時間を複数設定可能な設定部を備え、前記設定部は、前記水分検出部が前記おそれを検出したときの前記シャッタ開時間が、前記水分検出部が前記おそれを検出しないときの前記シャッタ開時間よりも短くなるように、前記シャッタ開時間を設定するようにすることができる。
【００２０】
こうすることによって、シャッタが開いている時間を通常よりも短くすることができるので、入出口への水分の浸入を抑制することができる。
【００２１】
上記自動取引装置において、前記設定部は、前記利用者が前記入出口から前記媒体を取り出すための動作時の前記シャッタ開時間が、前記入出口に前記媒体を投入するための動作時の前記シャッタ開時間よりも短くなるように、前記シャッタ開時間を設定するようにしてもよい。
【００２２】
通常、入出口に媒体を投入するときよりも、入出口から媒体を取り出すときの方が利用者の動作時間が短い傾向にある。本発明によって、媒体取り出し時の水分の浸入を、更に抑制することができる。
【００２３】
本発明の第１または第２の自動取引装置において、前記水分検出部は、入出口への水分の浸入のおそれの検出について、種々の態様をとることができるが、例えば、水分の付着を検出するための水分センサを備えるようにすることができる。
【００２４】
こうすることによって、自動取引装置に付着した水分を直接的に検出すことができる。
【００２５】
上記自動取引装置において、前記水分センサは、少なくとも前記開口部周辺を含む複数箇所に設置されていることが好ましい。
【００２６】
こうすることによって、入出口に近い箇所の水分を検出することができるので、水分検出部の検出精度を高くすることができる。また、複数の水分センサによって検出を行うので、水分センサの誤動作の判定を行うこともできる。
【００２７】
本発明の第１または第２の自動取引装置において、前記水分検出部は、前記おそれを定量的に検出可能であり、前記制御部は、前記検出結果に基づいて、前記取引部の動作を制御し、または、前記駆動部の動作制御を切り換えるようにすることができる。
【００２８】
ここで、「定量的に検出可能」とは、厳密に定量的な値を検出可能である必要はなく、程度の違いを検出できればよい。例えば、「高」、「中」、「低」など３段階に検出可能としてもよい。複数のセンサを設けるようにして、水分を検出したセンサの数によって、前記おそれの度合いを定量的に評価してもよい。本発明によって、入出口への水分の浸入のおそれの度合いに応じて、入出口への水分の浸入を抑制する制御を行うことができる。
【００２９】
本発明の第１または第２の自動取引装置において、前記水分検出部は、気圧センサと湿度センサとのうちの少なくとも１つを備えるようにすることができる。
【００３０】
一般に、気圧が低いときには雨が降りやすい傾向にある。また、湿度が高いときには、湿度が低い場合よりも雨が降っている可能性が高い。従って、気圧センサや湿度センサによっても、入出口への水分の浸入のおそれを検出することができる。
【００３１】
本発明の第１または第２の自動取引装置において、前記水分検出部は、複数種類のセンサを備えており、前記制御部は、前記複数種類のセンサの検出結果に基づいて、前記取引部の動作を制御し、または、前記駆動部の動作制御を切り換えるようにしてもよい。
【００３２】
複数種類のセンサを用いることによって、入出口への水分の浸入のおそれを複合的に判断することが可能となり、水分検出部の検出精度を向上させることができる。
【００３３】
本発明は、上述の自動取引装置としての構成の他、自動取引装置の制御方法の発明として構成することもできる。また、これらを実現するコンピュータプログラム、およびそのプログラムを記録した記録媒体、そのプログラムを含み搬送波内に具現化されたデータ信号など種々の態様で実現することが可能である。なお、それぞれの態様において、先に示した種々の付加的要素を適用することが可能である。
【００３４】
本発明をコンピュータプログラムまたはそのプログラムを記録した記録媒体等として構成する場合には、自動取引装置の動作を制御するプログラム全体として構成するものとしてもよいし、本発明の機能を果たす部分のみを構成するものとしてもよい。また、記録媒体としては、フレキシブルディスクやＣＤ−ＲＯＭ、ＤＶＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読み取り可能な種々の媒体を利用できる。
【００３５】
【発明の実施の形態】
以下、本発明の実施の形態について、実施例に基づき以下の順序で説明する。
Ａ．自動取引装置の構成：
Ｂ．紙幣取扱装置：
Ｃ．入出金口：
Ｄ．第１実施例（自動取引装置の動作制御）：
Ｅ．第２実施例（シャッタの駆動制御−その１−）：
Ｆ．第３実施例（シャッタの駆動制御−その２−）：
Ｇ．第４実施例（シャッタの駆動制御−その３−）：
Ｈ．第５実施例：
Ｈ１．自動取引装置の構成：
Ｈ２．自動取引装置の動作制御
Ｉ．変形例：
【００３６】
Ａ．自動取引装置の構成：
図１は、本発明の一実施例としての自動取引装置１００の外観を示す説明図である。この自動取引装置１００は、銀行などの金融機関によって管理され、利用者の操作に応じて各種取引を行うための装置である。自動取引装置１００は、主として雨や雪に晒される屋外に設置される。なお、自動取引装置１００によって実行可能な取引の内容としては、預け入れや、払い戻しや、振り込みや、通帳記帳や、残高照会や、両替などが挙げられる。
【００３７】
自動取引装置１００は、図示するように、紙幣の入出金を行う紙幣取扱装置１０１と、取引に用いられる磁気カードやＩＣカードを取り扱い、また、取引明細票の印字・発行を行うカード・明細票処理装置１０２と、通帳を取り扱う通帳処理装置１０３と、タッチパネルを備え、利用者への案内画面を表示し、利用者からの指示を入力する利用者操作部１０４と、自動取引装置１００内の各部の動作制御を行う本体制御部１０５と、自動取引装置１００内の各部に電源を供給する電源部１０６とを備えている。自動取引装置１００は、また、外部のホストコンピュータと取引に関する通信を行うためのインタフェース部や、自動取引装置１００を管理する係員が操作するための係員操作部などを備えている（図示省略）。これらはバスによって接続されている。なお、周知の各部の詳細な説明は省略する。
【００３８】
Ｂ．紙幣取扱装置：
紙幣取扱装置１０１は、利用者が紙幣の出し入れを行うための、地面に対して上向きに開口した入出金口を備えている。入出金口の開口部１１には、シャッタ１５が設けられており、シャッタ１５の表面には、感雨センサ１６が設けられている。本実施例では、感雨センサ１６として、水の導電性を利用し、電極に水滴が付着した際の伝導率の変化を検出するものを用いるものとした。感雨センサ１６として、雨音を検出するセンサや、光学的に水滴を検出するセンサを用いるものとしてもよい。シャッタ１５は、後述する駆動モータおよびゴムローラによって開閉駆動する。なお、このシャッタ１５は、後述するように、感雨センサ１６が雨水を検出しないときには、入出金を伴う取引時に、所定のタイミングで自動的に開閉駆動するように制御される。
【００３９】
紙幣取扱装置１０１は、更に、入出金口に投入された紙幣の金種や真偽を判別する紙幣判別部や、紙幣を搬送する搬送機構や、紙幣を金種ごとに保管する保管庫などの紙幣取扱機構を備えている。紙幣取扱装置１０１は、また、入金時に入出金口に投入された紙幣を保管庫に分離搬送する分離機構や、出金時に保管庫から入出金口へ紙幣を集積する集積機構も備えている。
【００４０】
また、紙幣取扱装置１０１は、制御部を備えている。制御部は、利用者操作部１０４から入力された指示や、感雨センサ１６や、後述する各種センサの検出結果などに基づいて、シャッタ１５の開閉駆動など紙幣取扱装置１０１内の各部の動作を制御する。
【００４１】
Ｃ．入出金口：
図２は、紙幣取扱装置１０１の入出金口１２付近の概略構成を示す説明図である。入出金口１２付近を側面から見た内部構造を模式的に示した。図示するように、筐体１０には、入出金口１２に紙幣Ｂを出し入れするための開口部１１が設けられている。この開口部１１には、シャッタ１５が設けられている。シャッタ１５の表面には、感雨センサ１６が設けられている。
【００４２】
シャッタ１５は、駆動モータ１９およびゴムローラ１８の回転によって矢印Ａ方向にスライドさせることによって開閉駆動する。開口部１１には、３つのシャッタ位置センサ２０ａ、２０ｂ、２０ｃが設けられている。このシャッタ位置センサ２０ａ、２０ｂ、２０ｃは、それぞれシャッタ１５の開閉方向（矢印Ａ方向）と直交する方向に光軸を有する光電センサであり、シャッタ１５に設けられた遮光板１７が遮光するか否かによってシャッタ位置を検出する。本実施例では、３つのシャッタ位置センサ２０ａ、２０ｂ、２０ｃによって、「全閉」、「半開」、「全開」の３段階のシャッタ位置を検出することが可能である。
【００４３】
入出金口１２の上部には、挿入センサ１３が設けられている。挿入センサ１３は、利用者が紙幣を入出金口１２に出し入れする際に、利用者の手や紙幣Ｂによって遮光されたか否かによって挿入の有無を検出する光電センサである。入出金口１２の下部には、紙幣有無センサ１４が設けられている。紙幣有無センサ１４も紙幣Ｂによって遮光されているか否かによって紙幣の有無を検出する光電センサである。
【００４４】
Ｄ．第１実施例（自動取引装置の動作制御）：
図３は、第１実施例としての自動取引装置１００の動作制御の流れを示すフローチャートである。まず、感雨センサ１６によって、雨水が検出されているか否かを判断する（ステップＳ１００）。雨水が検出されなければ、入出金口１２に雨水が浸入するおそれがないものと判断して全ての取引を許可し（ステップＳ１１０）、全ての取引の案内画面を利用者操作部１０４に表示する（ステップＳ１２０）。雨水が検出されれば、入出金口１２に雨水が浸入するおそれがあるものと判断して入出金を伴う取引（例えば、預け入れや、払い戻しなど）を禁止し（ステップＳ１３０）、入出金を伴わない取引の案内画面を利用者操作部１０４に表示する（ステップＳ１４０）。
【００４５】
以上説明した第１実施例の自動取引装置１００の動作制御によれば、感雨センサ１６が雨水を検出した時に、入出金を伴う取引を禁止し、シャッタ１５が開閉することを禁止することができる。従って、降水時などに入出金口１２に雨水が浸入することを防止することができる。
【００４６】
Ｅ．第２実施例（シャッタの駆動制御−その１−）：
第１実施例では、感雨センサ１６が雨水を検出するか否かに応じて、自動取引装置１００で実行可能な取引の内容を制御した。以下で説明する第２実施例から第４実施例では、入出金を伴う取引実行時に、感雨センサ１６が雨水を検出するか否かに応じて、紙幣取扱装置１０１のシャッタ１５の開閉駆動を制御する。
【００４７】
図４は、第２実施例としてのシャッタ１５の駆動制御の流れを示すフローチャートである。まず、利用者操作部１０４に取引選択画面が表示され、利用者によって、入出金を伴う取引が選択される（ステップＳ２００）。そして、感雨センサ１６によって、雨水が検出されているか否かを判断する（ステップＳ２１０）。雨水が検出されなければ、入出金口１２に雨水が浸入するおそれがないものと判断してシャッタ１５を開け（ステップＳ２４０）、取引のための処理を行う（ステップＳ２５０）。このとき、入金を伴う取引を行う場合には、紙幣有無センサ１４によって紙幣が入出金口１２に投入されたことが検出された後に、自動的にシャッタ１５を閉じる。出金を伴う取引を行う場合には、紙幣有無センサ１４によって入出金口１２から紙幣が取り出されたことが検出された後に、自動的にシャッタを閉じる。
【００４８】
ステップＳ２１０において、雨水が検出されれば、入出金口１２に雨水が浸入するおそれがあるものと判断して利用者操作部１０４にシャッタ１５を開けるためのシャッタ開ボタンを表示し、利用者がシャッタ開ボタンを押すように案内画面を表示する（ステップＳ２２０）。利用者は、入出金の準備ができたらシャッタ開ボタンを押すことになる。そして、シャッタ開ボタンが押されたか否かを判断する（ステップＳ２３０）。シャッタ開ボタンが押されれば、シャッタ１５を開け（ステップＳ２４０）、取引のための処理を行う（ステップＳ２５０）。シャッタ開ボタンが押されずに、予め設定された所定時間が経過し、タイムアウトになれば、処理が中止されたことを利用者に報知するなどのエラー処理を行い（ステップＳ２７０）、終了する。
【００４９】
以上説明した第２実施例のシャッタ１５の開閉駆動の制御によれば、入出金を伴う取引実行時に、感雨センサ１６が雨水を検出したときに、利用者によってシャッタ１５を開けるための指示が入力されるまでシャッタ１５を開けない。従って、降水時などに入出金口１２に雨水が浸入することを抑制することができる。
【００５０】
Ｆ．第３実施例（シャッタの駆動制御−その２−）：
図５は、第３実施例としてのシャッタ１５の駆動制御の流れを示すフローチャートである。まず、利用者操作部１０４に取引選択画面が表示され、利用者によって、入出金を伴う取引が選択される（ステップＳ３００）。そして、感雨センサ１６によって、雨水が検出されているか否かを判断する（ステップＳ３１０）。雨水が検出されなければ、入出金口１２に雨水が浸入するおそれがないものと判断してシャッタ１５を全開し（ステップＳ３４０）、取引のための処理を行う（ステップＳ３５０）。このとき、入金を伴う取引を行う場合には、紙幣有無センサ１４によって紙幣が入出金口１２に投入されたことが検出された後に、自動的にシャッタ１５を閉じる。出金を伴う取引を行う場合には、紙幣有無センサ１４によって入出金口１２から紙幣が取り出されたことが検出された後に、自動的にシャッタを閉じる。
【００５１】
ステップＳ３１０において、雨水が検出されれば、入出金口１２に雨水が浸入するおそれがあるものと判断してシャッタ１５を半開する（ステップＳ３２０）。そして、挿入センサ１３が利用者の手または紙幣が挿入されたことを検出したか否かを判断する（ステップＳ３３０）。挿入されれば、シャッタ１５を全開し（ステップＳ３４０）、取引のための処理を行う（ステップＳ３５０）。挿入されずに、予め設定された所定時間が経過し、タイムアウトになれば、シャッタ１５を閉じ（ステップＳ３７０）、処理が中止されたことを利用者に報知するなどのエラー処理を行い（ステップＳ３８０）、終了する。
【００５２】
以上説明した第３実施例のシャッタ１５の開閉駆動の制御によれば、入出金を伴う取引実行時に、感雨センサ１６が雨水を検出したときに、利用者によって、シャッタ１５が半開状態の開口部１１に手または紙幣を挿入されるまでシャッタ１５を全開にしない。従って、降水時などに入出金口１２に雨水が浸入することを抑制することができる。また、シャッタ１５が半開状態のときに、利用者が手または紙幣を挿入することによって、全開にすることができるので、利用者の操作性を確保することができる。
【００５３】
Ｇ．第４実施例（シャッタの駆動制御−その３−）：
図６および図７は、第４実施例としてのシャッタ１５の駆動制御の流れを示すフローチャートである。図６は、入金を伴う取引時のシャッタ１５の駆動制御の流れを示すフローチャートである。まず、利用者操作部１０４に取引選択画面が表示され、利用者によって、入金を伴う取引が選択される（ステップＳ４００）。そして、感雨センサ１６によって、雨水が検出されているか否かを判断する（ステップＳ４１０）。雨水が検出されなければ、シャッタ１５を開いてから閉じるまでのタイマ時間ＴをＴ１に設定する（ステップＳ４２０）。雨水が検出されれば、タイマ時間ＴをＴ１よりも短いＴ２に設定する（ステップＳ４２２）。このタイマ時間Ｔは、紙幣取扱装置の制御部内に予め複数用意されており、その中から選択される。
【００５４】
タイマ時間Ｔを設定後、シャッタ１５を開ける（ステップＳ４３０）。そして、設定された所定時間（Ｔ）が経過するまで（ステップＳ４４０）紙幣有無センサ１４によって入出金口１２に紙幣が投入されたか否かを監視する（ステップＳ４７０）。入出金口１２に紙幣が投入されるとシャッタ１５を閉じ（ステップＳ４８０）、取引のための処理を行う（ステップＳ４９０）。入出金口１２に紙幣が投入されずに所定時間（Ｔ）が経過した場合には、シャッタ１５を閉じ（ステップＳ４５０）、処理が中止されたことを利用者に報知するなどのエラー処理を行い（ステップＳ４６０）、終了する。
【００５５】
図７は、出金を伴う取引時のシャッタ１５の駆動制御の流れを示すフローチャートである。まず、利用者操作部１０４に取引選択画面が表示され、利用者によって、出金を伴う取引が選択される（ステップＳ５００）。そして、感雨センサ１６によって、雨水が検出されているか否かを判断する（ステップＳ５１０）。雨水が検出されなければ、シャッタ１５を開いてから閉じるまでのタイマ時間ＴをＴ１に設定する（ステップＳ５２０）。雨水が検出されれば、タイマ時間ＴをＴ２よりも短いＴ３に設定する（ステップＳ５２２）。タイマ時間ＴをＴ２よりも短いＴ３に設定するのは、通常、入出金口１２に紙幣を投入するときよりも、入出金口１２から紙幣を取り出すときの方が利用者の動作時間が短い傾向にあるからである。
【００５６】
タイマ時間設定後、取引のための処理を行い（ステップＳ５３０）、シャッタ１５を開ける（ステップＳ５４０）。そして、設定された所定時間（Ｔ）が経過するまで（ステップＳ５５０）紙幣有無センサ１４によって入出金口１２から紙幣が取り出されたか否かを監視する（ステップＳ５８０）。入出金口１２から紙幣が取り出されるとシャッタ１５を閉じる（ステップＳ５９０）。入出金口１２から紙幣が取り出されずに所定時間（Ｔ）が経過した場合には、シャッタ１５を閉じ（ステップＳ５６０）、処理が中止されたことを利用者に報知するなどのエラー処理を行い（ステップＳ５７０）、終了する。
【００５７】
以上説明した第４実施例のシャッタ１５の開閉駆動の制御によれば、入出金を伴う取引実行時に、感雨センサ１６が雨水を検出したときに、シャッタ１５を開いてから閉じるまでの時間を短くすることができる。従って、降水時などに入出金口１２に雨水が浸入することを抑制することができる。
【００５８】
Ｈ．第５実施例：
Ｈ１．自動取引装置の構成：
図８は、第５実施例としての自動取引装置１００ａの外観を示す説明図である。自動取引装置１００ａは、図１に示した自動取引装置１００と同様に、紙幣取扱装置１０１ａや、カード・明細票処理装置１０２ａや、通帳処理装置１０３ａや、利用者操作部１０４ａや、本体制御部１０５ａや、電源部１０６ａなどを備えている。ただし、本実施例の紙幣取扱装置１０１ａは、利用者が地面に対してほぼ水平方向に紙幣の出し入れを行うための入出金口を備えており、開口部１１ａにシャッタを備えていない。その代わりに、開口部１１ａには、利用者が、図中に矢印で示したように、手動で開閉可能な防水板１５ａが設けられている。なお、感雨センサ１６ａは、図示したように、自動取引装置１００ａの前面の開口部１１ａ付近に設けられている。
【００５９】
Ｈ２．自動取引装置の動作制御：
図９は、第５実施例としての自動取引装置１００ａの動作制御の流れを示すフローチャートである。まず、感雨センサ１６ａによって、雨水が検出されているか否かを判断する（ステップＳ６００）。雨水が検出されなければ、入出口に雨水が浸入するおそれがないものと判断して全ての取引を許可し（ステップＳ６１０）、全ての取引の案内画面を利用者操作部１０４ａに表示する（ステップＳ６２０）。雨水が検出されれば、入出口に雨水が浸入するおそれがあるものと判断して入金を伴う取引を禁止し（ステップＳ６３０）、入金を伴わない取引の案内画面を利用者操作部１０４ａに表示する（ステップＳ１４０）。
【００６０】
なお、本実施例では、第１実施例の動作制御と異なり、感雨センサ１６ａが雨水を検出した場合であっても出金を伴う取引は禁止しない。これは、紙幣取扱装置１０１ａの開口部１１ａには防水板１５ａが設けられており、降水時に、入金時には雨に濡れた紙幣が挿入され、入出金口に水分が浸入するおそれがあるが、出金時には入出金口に雨水が浸入するおそれが少ないからである。
【００６１】
以上説明した第５実施例の自動取引装置１００ａの動作制御によれば、感雨センサ１６が雨水を検出した時に入金を伴う取引を禁止することができる。従って、降水時などに入出金口に雨に濡れた紙幣が挿入されることはない。この結果、入出金口への水分の浸入を抑制することができる。
【００６２】
Ｉ．変形例：
以上、本発明のいくつかの実施の形態について説明したが、本発明はこのような実施の形態になんら限定されるものではなく、その要旨を逸脱しない範囲内において種々なる態様での実施が可能である。例えば、以下のような変形例が可能である。
【００６３】
Ｉ１．変形例１：
上記第１ないし第４実施例では、感雨センサ１６は、シャッタ１５の表面に設けられていたが、他の箇所に設けるようにしてもよい。また、感雨センサ１６を複数設けるようにしてもよい。この場合、入出金口１２への雨水の浸入のおそれを検出する観点から、シャッタ１５付近に少なくとも１つ設けるようにすることが好ましい。
【００６４】
図１０は、変形例としての自動取引装置１００ｂの外観を示す説明図である。感雨センサの設置位置および個数以外は、自動取引装置１００と同じである。感雨センサは、誤作動防止等のために図中に破線で囲んだ領域ａ〜ｆなど自動取引装置１００ｂの表面の種々の位置に設置することが可能であるが、本実施例では、図示するように、シャッタ１５ｂと利用者操作部１０４ｂとの間のスペースに、３つの感雨センサ１、２、３を、正面から奥に向かってこの順序で設置するものとした。図から分かるように、感雨センサ１、２、３は、この順序で段階的に雨水に晒され易くなっている。
【００６５】
図１１は、変形例としての自動取引装置１００ｂの動作制御の流れを示すフローチャートである。まず、最も雨水に晒されやすい感雨センサ１によって、雨水が検出されているか否かを判断する（ステップＳ７００）。感雨センサ１によって雨水が検出されなければ、入出口に雨水が浸入するおそれがないものと判断して全ての取引を許可し（ステップＳ７１０）、全ての取引の案内画面を利用者操作部１０４ｂに表示する（ステップＳ７１２）。
【００６６】
感雨センサ１によって雨水が検出されれば、更に、感雨センサ２によって、雨水が検出されているか否かを判断する（ステップＳ７２０）。感雨センサ２によって雨水が検出されなければ、入金を伴う取引を禁止し（ステップＳ７３０）、入金を伴わない取引の案内画面を利用者操作部１０４ｂに表示する（ステップＳ７３２）。
【００６７】
感雨センサ２によって雨水が検出されれば、更に、最も雨に晒されにくい感雨センサ３によって、雨水が検出されているか否かを判断する（ステップＳ７４０）。感雨センサ３によって雨水が検出されなければ、入出金を伴う取引を禁止し（ステップＳ７５０）、入出金伴わない取引の案内画面を利用者操作部１０４ｂに表示する（ステップＳ７５２）。
【００６８】
感雨センサ３によって雨水が検出されれば、全取引を禁止し（ステップＳ７６０）、全取引を中止している旨の案内画面を利用者操作部１０４ｂに表示する。
【００６９】
このようにすることによって、入出金口への雨水の浸入のおそれを段階的に検出し、検出結果に応じて自動取引装置の動作制御を切り換えることができる。なお、本変形例では、３つの感雨センサ１、２、３を用いて入出金口への雨水の浸入のおそれを段階的に検出するものとしたが、これに限られない。例えば、単位時間当たりの降水量を定量的に検出可能なセンサを用いるようにしてもよい。
【００７０】
Ｉ２．変形例２：
上記実施例では、本発明の自動取引装置における水分検出部として、感雨センサを用いたがこれに限られない。例えば、気圧センサや、湿度センサなどを用いるようにしてもよい。これらのセンサによっても、入出金口への雨水の浸入のおそれを検出することが可能である。また、これらを併用することによって、検出精度を向上させるようにしてもよい。
【００７１】
Ｉ３．変形例３：
上記実施例では、本発明を紙幣取扱装置に適用した例を示したが、これに限らない。本発明は、一般に、利用者が所定の取引用媒体を出し入れするための開口部を有する入出口を備える自動取引装置に適用可能であるから、例えば、帳票を取り扱う帳票取扱装置や、硬貨を取り扱う硬貨取扱装置など他の装置に適用してもよい。
【００７２】
【発明の効果】
本発明の自動取引装置によれば、降水時などに入出口に水分の浸入を抑制あるいは防止することができる。
【図面の簡単な説明】
【図１】本発明の一実施例としての自動取引装置１００の外観を示す説明図である。
【図２】紙幣取扱装置１０１の入出金口１２付近の概略構成を示す説明図である。
【図３】第１実施例としての自動取引装置１００の動作制御の流れを示すフローチャートである。
【図４】第２実施例としてのシャッタ１５の駆動制御の流れを示すフローチャートである。
【図５】第３実施例としてのシャッタ１５の駆動制御の流れを示すフローチャートである。
【図６】入金を伴う取引時のシャッタ１５の駆動制御の流れを示すフローチャートである。
【図７】出金を伴う取引時のシャッタ１５の駆動制御の流れを示すフローチャートである。
【図８】第５実施例としての自動取引装置１００ａの外観を示す説明図である。
【図９】第５実施例としての自動取引装置１００ａの動作制御の流れを示すフローチャートである。
【図１０】変形例としての自動取引装置１００ｂの外観を示す説明図である。
【図１１】変形例としての自動取引装置１００ｂの動作制御の流れを示すフローチャートである。
【符号の説明】
１、２、３…感雨センサ
１０…筐体
１１、１１ａ…開口部
１２…入出金口
１３…挿入センサ
１４…紙幣有無センサ
１５、１５ｂ…シャッタ
１５ａ…防水板
１６、１６ａ…感雨センサ
１７…遮光板
１８…ゴムローラ
１９…駆動モータ
２０ａ、２０ｂ、２０ｃ…シャッタ位置センサ
１００、１００ａ、１００ｂ…自動取引装置
１０１、１０１ａ…紙幣取扱装置
１０２、１０２ａ…カード・明細票処理装置
１０３、１０３ａ…通帳処理装置
１０４、１０４ａ、１０４ｂ…利用者操作部
１０５、１０５ａ…本体制御部
１０６、１０６ａ…電源部
【図１】
2004178455.tif 000003
【図２】
2004178455.tif 000004
【図３】
2004178455.tif 000005
【図４】
2004178455.tif 000006
【図５】
2004178455.tif 000007
【図６】
2004178455.tif 000008
【図７】
2004178455.tif 000009
【図８】
2004178455.tif 000010
【図９】
2004178455.tif 000011
【図１０】
2004178455.tif 000012
【図１１】
2004178455.tif 000013